(57)【特許請求の範囲】
【請求項１】
上面の無い箱体であって、前面に開口が形成された下箱と、 
下箱の内側周面に外面側周が嵌る大きさを有する下面の無い箱体であって、下箱の高さよりも低く形成される中箱と、
パイプ体内に棒状体を入れ子に挿入することで伸縮可能に形成されるとともに、任意の伸縮位置で固定可能に形成される、中箱の上面の４隅又は下箱の底面の４隅に立てて配置される４本の伸縮棒と、
下箱外側周面に内側周面が嵌る大きさを有する下面の無い箱体であって、前記伸縮棒の最大長さの合計よりも高く形成される上箱と
を有する家具転倒防止機能付き収納箱。
【請求項２】
前記上箱の少なくとも側周面は段ボールで形成される請求項１に記載の家具転倒防止機能付き収納箱。
【請求項３】
前記伸縮棒は上下端部に水平部材が固定され、中箱の上面の４隅又は下箱の底面の４隅に４本設けられることに代えて中箱の開口面に隣接する上面の２辺又は下箱の開口面に隣接する底面の２辺に下端部側の前記水平部材が接触するように２本設けられるものである請求項１又は２に記載の家具転倒防止機能付き収納箱。
【発明の詳細な説明】
【技術分野】
【０００１】
本発明は、家具と天井との隙間に挟んで固定することで家具の転倒を防止できる収納箱に関する。
【背景技術】
【０００２】
従来、地震による家具の転倒を防止する方法として、家具の上面と天井との間の隙間を埋めることが行われている。隙間を埋める方法として、伸縮可能なポールを隙間に挟む方法があるが、この方法だと、ポールが表出するとともに、家具の上面のスペースを有効に使用できないという問題がある。これに対して、下記特許文献に記載の考案のように、伸縮できる箱体を家具上面と天井の間に挟むようにすると、箱内が収納スペースとして活用でき望ましい。
【先行技術文献】
【特許文献】
【０００３】
【特許文献１】特開平8-140754号公報
【特許文献２】特開2007-50198号公報［0057］、図12
【特許文献３】実用新案登録第3028930号公報
【特許文献４】特許第3799054号公報
【発明の概要】
【発明が解決しようとする課題】
【０００４】
ところで、伸縮できる箱体を固定する方法として、特許文献１の図１、図２や特許文献３に示されるように、上箱と下箱の間に分離した壁面を設け、壁面と上箱及び下箱との縦方向における接合位置を変える方法は、壁面の強度を十分に確保する必要があり、段ボールなどで形成することは望ましくない等の制約がある。また、特許文献４のように内部に屈曲させた板体を設け、板体の角度を変えて固定する方法は屈曲させた板体部分は収納スペースとして使用できず無駄が多い。
これに対して、特許文献１の図５や特許文献２の図１２に示すように伸縮固定できる棒体を箱内部の四隅に設け、これにより伸縮できる箱体を所定位置で固定するようにした構造は、箱体の材質に影響されることがなく望ましい。
しかしながら、伸縮固定できる棒体は、パイプ体内に入れ子に棒体又はパイプ体を挿入することで伸縮可能に形成されるので、長さの範囲がほぼ外側のパイプの長さから、これの倍まで長さの範囲に限定されてしまうという問題がある。
本発明は、このような問題に鑑みて、伸縮する箱体を用いた家具転倒防止機能を有する収納箱において、伸縮する棒体を用いながら、適用できる高さの範囲を大きくすることを課題とする。
【課題を解決するための手段】
【０００５】
上記課題を解決するために、本発明は、次のような構成を有する。
請求項１に記載の発明は、上面の無い箱体であって、前面に開口が形成された下箱と、   下箱の内側周面に外面側周が嵌る大きさを有する下面の無い箱体であって、下箱の高さよりも低く形成される中箱と、パイプ体内に棒状体を入れ子に挿入することで伸縮可能に形成されるとともに、任意の伸縮位置で固定可能に形成される、中箱の上面の４隅又は下箱の底面の４隅に立てて配置される４本の伸縮棒と、下箱外側周面に内側周面が嵌る大きさを有する下面の無い箱体であって、前記伸縮棒の最大長さよりも高く形成される上箱とを有する家具転倒防止機能付き収納箱である。
請求項２に記載の発明は、前記家具転倒防止機能付き収納箱において前記上箱の少なくとも側周面は段ボールで形成されるものである
請求項３に記載の発明は、前記家具転倒防止機能付き収納箱において、前記伸縮棒は上下端部に水平部材が固定され、中箱の上面の４隅又は下箱の底面の４隅に４本設けられることに代えて中箱の開口面に隣接する上面の２辺又は下箱の開口面に隣接する底面の２辺に下端部側の前記水平部材が接触するように２本設けられるものである。
【発明の効果】
【０００６】
請求項１に記載の発明は、下箱に中箱を入れてこの上に伸縮棒を配置することで、ほぼ伸縮棒の最大長さに加えて中箱の高さ分全体を高くすることができるとともに、低くする場合は中箱を上箱の上面に重ねるか、取り外して、下箱の底面に伸縮棒を配置することでほぼ伸縮棒の最小長さまで全体の高さを低くすることができ、結果として伸縮棒の長さの範囲を超えて高さ調節を行うことが可能となる。なお、高さを低くした状態において、上箱の下面が下箱の下面よりも下になる場合は、上箱の側面を適宜切断して高さを調節すればよい。
請求項２に記載の発明は、上箱の側周面を段ボールで形成することで、上箱の側面を切断する必要が生じたときに比較的容易に作業を行うことができる。
請求項３に記載の発明は、伸縮棒を左右の2本にすることで、高さ調節に際して2本の高さのみを変えればよいので、高さ調節の作業を簡易にすることができる。
【図面の簡単な説明】
【０００７】
【図１】実施形態に係る家具転倒防止機能付き収納箱の斜視図である。
【図２】実施形態に係る家具転倒防止機能付き収納箱の分解斜視図である。
【図３】（ａ）は実施形態に係る家具転倒防止機能付き収納箱の中箱の上面に伸縮棒を設置した状態を示す縦断面図であり、（ｂ）は下箱の底面に伸縮棒を設置した状態を示す縦断面図である。
【図４】伸縮棒の他の例を示す斜視図である。
【発明を実施するための形態】
【０００８】
以下、本発明の実施の形態について、図面を参照しながら説明する。
図１に本実施形態に係る家具転倒防止機能付き収納箱Ｘ（以下、収納箱Ｘという）の斜視図を示し、図２に収納箱Ｘの分解斜視図を示す。収納箱Ｘは、下箱１０、中箱２０、上箱３０、伸縮棒４０から構成される。
下箱１０は、段ボールにより形成される上面の開放した箱体であり、正面側に上端縁に至る開口１１が設けられる。下箱１０の底面には、ゴムからなる滑り止めシート１２が貼り付けられる。
中箱２０は、段ボールにより形成される下面が開放した箱体であり、正面側に下端縁に至る開口２１が設けられる。中箱２０の高さは下箱１０の高さよりも低く設定される。
【０００９】
上箱３０は、段ボールにより形成される下面が開放した箱体であり、正面側に下端縁に至る開口３１が設けられる。また、上箱３０の正面上端側にはロールカーテン３３が固定されて、上面にはゴムからなる滑り止めシート３２が貼りつけられる
伸縮棒４０は、パイプ体内により細いパイプが入れ子になることで伸縮可能に形成される棒状体であり、内側のパイプはネジ機構で外側のパイプに対して進退できるように形成され、任意の位置で固定できるようになっている。伸縮棒４０は４本設けられる。なお、伸縮棒４０の内側のパイプの固定手段としては、外側パイプの側面から垂直にネジで内側パイプを貫通させる方法など種々の方法が採用可能である。また、前記上箱３０の高さは伸縮棒の最大長さよりも大きくなるように形成される。
【００１０】
次に、以上のような構成を有する収納箱Ｘの使用方法について説明する。収納箱Ｘは転倒を防止しようとする家具と、天井との間を充填するように設けられる。家具の上面と天井までの距離が長い場合は、図１、２に示すように、下箱１０の中に中箱２０を入れ、さらに、下箱１０の外側に上箱３０を嵌め入れる。そして、中箱の上面の四隅と上箱３０の内部上面の四隅とを連結するように、４本の伸縮棒４０を立てて配置する。図３（ａ）にこの状態の収納ボックスの正面に平行な平面で切った縦断面図を示す。この状態で、家具Ｆの上面に収納箱Ｘを配置し、上箱３０の上面が天井Ｃを押圧するように4本の伸縮棒４０を伸ばして固定する。これで、収納箱Ｘの設置は完了するが、さらに、下箱及び上箱の内部で、下箱、上箱、中箱とを粘着テープや接着剤などで固定することで強度を高めることが望ましい。このように中箱を伸縮棒４０の下に配置することで、収納箱Ｘは伸縮棒４０の最大長さよりも中箱の分だけ高く設定できる。また、中箱を設けることで、収納箱Ｘに中箱の上面が仕切りの役割を果たすので、内部に物を収納する際の利便性が高くなる。
【００１１】
一方、家具の上面と天井までの距離が比較的短い場合には、中箱２０を上箱３０の上面に重ねるか、中箱２０を取り去って、下箱１０の外側に上箱３０を嵌め入れ、下箱１０の内部底面の四隅と中箱２０又は上箱３０の内部上面の四隅とを連結するように、４本の伸縮棒４０を立てては位置する。なお、この状態で上箱３０の側面が長すぎる場合は適宜上箱３０の側周面を切断して適当な長さに調節すればよい。図３（ｂ）にこの状態の収納ボックスの正面に平行な平面で切った縦断面図を示す。なお、図では上箱３０の側周面のうち想像線で示された部分３５が切断されている。この状態で、家具Ｆの上面に収納箱Ｘを配置し、上箱３０の上面が天井Ｃを押圧するように4本の伸縮棒４０を伸ばして固定する。その後、必要に応じて、内部を接着剤や粘着テープにより補強する。このように、収納箱Ｘは、中箱２０分の高さを排除するような使用をすることで、ほぼ伸縮棒４０を最も縮めた長さもまで低く高さを設定できる。
【００１２】
なお、上記実施形態では、伸縮棒４０として両端部が点状の棒体を４本用いたが、図４に示す伸縮棒４０Ａのように、上下端に水平の部材４０Ａａが設けられているものを利用すれば、左右に２本の左右の伸縮棒４０Ａで足りる。
【符号の説明】
【００１３】
Ｘ  家具転倒防止機能付き収納箱
１０  下箱
１２  滑り止めシート
２０  中箱
３０  上箱
３２  滑り止めシート
３３  ロールカーテン
４０、４０Ａ  伸縮棒
【図１】
0005508582.tif 000002
【図２】
0005508582.tif 000003
【図３】
0005508582.tif 000004
【図４】
0005508582.tif 000005